(57)【特許請求の範囲】
【請求項１】
駆動電源により駆動される負荷の状態を監視する駆動出力監視回路において、
前記駆動電源と前記負荷との間に接続され、前記負荷に供給される電流を測定する電流測定手段と、
前記負荷に前記電流測定手段を介して測定電流を供給する測定電源と、
前記負荷に前記電流測定手段を介して供給する電源を前記駆動電源と前記測定電源とのいずれか一方から選択する切換手段と、
前記駆動電源を前記負荷に供給する前に、前記負荷に前記測定電源が供給されるように前記切換手段を切り換え、前記電流測定手段により前記測定電源から供給される電流値を測定し、その測定結果に応じて異常又は正常判定を行い、異常判定されたときには負荷への前記電源供給を停止し、正常判定されたときには前記負荷に前記駆動電源が供給されるように前記切換手段を切り換え、前記駆動電源により前記負荷を駆動させ、前記電流測定手段により前記駆動電源から供給される電流値を測定し、その測定結果、前記駆動電源から供給される電流値が所定範囲内の値でなくなったときには、前記負荷への電源供給を停止する制御判断手段を有することを特徴とする駆動出力監視回路。
【請求項２】
駆動電源により駆動される複数の負荷の状態を監視する駆動出力監視回路において、
前記駆動電源と前記複数の負荷との間に接続され、前記複数の負荷に供給される電流を測定する電流測定手段と、
前記複数の負荷から所望の負荷を選択的に前記電流測定手段に接続する負荷選択手段と、前記複数の負荷に前記電流測定手段を介して測定電流を供給する測定電源と、
前記複数の負荷に前記電流測定手段を介して供給する電源を前記駆動電源と前記測定電源とのいずれか一方から選択する切換手段と、
前記駆動電源を前記複数の負荷に供給する前に、前記複数の負荷に前記測定電源が供給されるように前記切換手段を切り換え、前記電流測定手段により前記測定電源から供給される電流値を測定し、その測定結果に応じて前記複数の負荷各々の異常又は正常判定を行い、前記複数の負荷のうち異常判定された負荷への前記駆動電源の供給は行なわず、正常判定された負荷に前記駆動電源が供給されるように前記切換手段を切り換え、前記駆動電源により前記負荷を駆動させ、前記電流測定手段により前記駆動電源から供給される電流値を測定し、その測定結果、前記駆動電源から供給される電流値が所定範囲内の値でなくなったときには、前記複数の負荷すべてへの電源供給を停止する制御判断手段とを有することを特徴とする駆動出力監視回路。
【請求項３】
前記制御判断手段は、前記駆動電源を前記複数の負荷に供給する際に、前記駆動電源を前記負荷に供給する前の前記複数の負荷それぞれに対する検査で異常が検出された負荷に応じて前記複数の負荷への前記駆動電源の供給を制御することを特徴とする請求項２記載の駆動出力監視回路。
【発明の詳細な説明】
【０００１】
【発明の属する技術分野】
本発明は駆動出力監視回路に係り、特に、動作開始時に負荷の状態を検出し、駆動出力の監視を行う駆動出力監視回路に関する。
【０００２】
【従来の技術】
図４に従来の駆動出力監視回路の一例のブロック構成図を示す。
従来の駆動出力監視回路１は、駆動電源２と負荷３−１〜３−ｎとの間に接続されて、動作開始時に負荷３−１〜３−ｎの抵抗を測定することにより負荷３−１〜３−ｎのそれぞれの状態を検出する。
【０００３】
駆動出力監視回路１は、負荷３−１〜３−ｎから１つを選択する負荷選択回路１１、負荷３−１〜３−ｎの抵抗を測定する抵抗測定装置１２、負荷３−１〜３−ｎへの接続を駆動電源２又は抵抗測定装置１２に切り替えるスイッチ１３、動作開始時に負荷選択回路１１及びスイッチ１３を制御して、抵抗測定装置１２で測定された各負荷３−１〜３−ｎの測定抵抗に応じて各負荷３−１〜３−ｎに状態を判定する制御判断部１４、制御判断部１４での判断結果を表示する表示部１５から構成される。
【０００４】
負荷選択回路１１は、ＮＰＮトランジスタＱ１〜Ｑｎから構成される。ＮＰＮトランジスタＱ１〜Ｑｎは、コレクタが負荷３−１〜３−ｎの接地端子に接続され、エミッタが接地され、ベースが制御判断部１４に接続される。トランジスタＱ１  〜Ｑｎは制御判断部１４からの制御信号に応じてスイッチングされ、抵抗測定装置１２に接続される負荷を負荷３−１〜３−ｎから選択する。
【０００５】
負荷３−１〜３−ｎの電源供給端子は、共通電源ラインＬ０  に接続される。共通電源ラインＬ０  は、切換手段１３の可動接点ａに接続される。
切換手段１３の固定接点ｂは、駆動電源２に接続され、固定接点ｃは、抵抗測定装置１２に接続される。切換手段１３の可動接点ａは、制御判断部１４からの制御信号に応じて切り換えられる。
【０００６】
抵抗測定装置１２は、負荷３−１〜３−ｎのそれぞれに微小電流を供給し、負荷３−１〜３−ｎそれぞれの抵抗値を検出する。抵抗測定装置１２は、検出した負荷３−１〜３−ｎの抵抗値をディジタルデータに変換して制御判断部１４に供給する。
制御判断部１４は、抵抗測定装置１２から供給されるディジタルデータに応じて負荷３−１〜３−ｎそれぞれの短絡、切断、抵抗値異常などの状態を検出して、表示部１５に表示する。
【０００７】
図５に従来の駆動出力監視装置の一例の制御判断部のフローチャートを示す。制御判断部１４は、動作開始時に、まず、切換手段１３の可動接点ａを固定接点ｃに接続し、共通電源ラインＬ０  に抵抗測定装置１２を接続する（ステップＳ３−１，Ｓ３−２）。
次に、制御判断部１４は、負荷３−１〜３−ｎを選択する負荷選択番号Ｎを「１」にリセットする（ステップＳ３−３）。次に、制御判断部１４は、負荷選択回路１１のステップＳ３−３で選択された選択番号Ｎに対応するトランジスタＱＮ  をオンし、他のトランジスタをオフする（ステップＳ３−４）。ステップ３−４により、負荷３−Ｎに抵抗測定装置１２から測定用微小電流Ｉｍ  が供給される。
【０００８】
制御判断部１４は、このとき、抵抗測定装置１２で検出された測定抵抗値Ｒｓ  を入力し、内部に予め設定された上限値Ｒ１及び下限値Ｒ２と比較する（ステップＳ３−６，Ｓ３−７）。
ステップＳ３−６で、測定抵抗値Ｒｓ  が下限抵抗値Ｒ１  より小さいと判断された場合には、負荷３−Ｎは短絡していると判断する（ステップＳ３−８）。
【０００９】
また、ステップＳ３−７で、測定抵抗値Ｒｓ  が上限抵抗値Ｒ２より大きいと判断された場合には、負荷３−Ｎは切断していると判断する（ステップＳ３−９）。
さらに、ステップＳ３−６，Ｓ３−７で、測定抵抗値Ｒｓ  が下限抵抗値Ｒ１と上限抵抗値Ｒ２との間にあると判断された場合には、次に、測定抵抗値Ｒｓ  が所定の範囲（Ｒ０  −ΔＲ３  ）＜Ｒｓ  ＜（Ｒ０  ＋ΔＲ３  ）内にあるか否かが判断される（ステップＳ３−１０）。
【００１０】
ステップＳ３−１０で、測定抵抗値Ｒｓ  が所定の範囲（Ｒ０  −ΔＲ３  ）＜Ｒｓ  ＜（Ｒ０  ＋ΔＲ３  ）内にあれば、負荷Ｎは正常であると判断され（ステップＳ３−１１）、測定抵抗値Ｒｓ  が所定の範囲（Ｒ０  −ΔＲ３  ）＜Ｒｓ  ＜（Ｒ０  ＋ΔＲ３  ）内になければ、負荷Ｎは抵抗値に異常があると判断される（ステップＳ３−１２）。
【００１１】
次に、上記のステップＳ３−６〜Ｓ３−１２での判定結果を表示部１５に表示する（ステップＳ３−１３）。このとき、表示部１５には、負荷３−１〜３−ｎを識別するための負荷番号Ｎ及び負荷番号Ｎに対応する判定結果が表示され、どの負荷にどんな異常があるかが容易にわかるような表示が行われる。
上記ステップＳ３−４〜Ｓ３−１３が負荷の数ｎ回繰り返し行われ、負荷３−１〜３−Ｎそれぞれの状態が検出される（ステップＳ３−１４，Ｓ３−１５）。
【００１２】
以上により、動作開始時の検査処理が終了する。
負荷３−１〜３−ｎの検査後、全ての負荷３−１〜３−ｎが正常であれば、切換手段１３の可動接点ａを固定接点ｂに接続し、負荷３−１〜３−ｎに駆動電源２を接続する（ステップＳ３−１６，Ｓ３−１７）。
なお、検査後、切換手段１３の可動接点ａを固定接点ｂに接続され、負荷３−１〜３−ｎに駆動電源２を接続されると、抵抗測定装置１２は負荷３−１〜３−ｎから切断され、負荷３−１〜３−ｎの抵抗は測定できなくなる。
【００１３】
【発明が解決しようとする課題】
しかるに、従来の駆動出力監視回路１では、駆動電源２と負荷３−１〜３−ｎとが接続されている状態では、抵抗測定装置１２が負荷３−１〜３−ｎから切断されるため、動作後は負荷３−１〜３−ｎの監視が行えず、動作後の異常は検出できない等の問題点があった。
【００１４】
本発明は上記の点に鑑みてなされたもので、動作開始時には負荷毎に、また、動作後でも常時負荷の監視が可能となる駆動出力監視回路を提供することを目的とする。
【００１５】
【課題を解決するための手段】
本発明の請求項１は、駆動電源により駆動される負荷の状態を監視する駆動出力監視回路において、
前記駆動電源と前記負荷との間に接続され、前記負荷に供給される電流を測定する電流測定手段と、
前記負荷に前記電流測定手段を介して測定電流を供給する測定電源と、
前記負荷に前記電流測定手段を介して供給する電源を前記駆動電源と前記測定電源とのいずれか一方から選択する切換手段と、
前記駆動電源を前記負荷に供給する前に、前記負荷に前記測定電源が供給されるように前記切換手段を切り換え、前記電流測定手段により前記測定電源から供給される電流値を測定し、その測定結果に応じて異常又は正常判定を行い、異常判定されたときには負荷への前記電源供給を停止し、正常判定されたときには前記負荷に前記駆動電源が供給されるように前記切換手段を切り換え、前記駆動電源により前記負荷を駆動させ、前記電流測定手段により前記駆動電源から供給される電流値を測定し、その測定結果、前記駆動電源から供給される電流値が所定範囲内の値でなくなったときには、前記負荷への電源供給を停止する制御判断手段を有することを特徴とする。
【００１６】
請求項１によれば、駆動電源を前記負荷に供給する前に、負荷に測定電源を供給し、負荷に測定電源から供給される電流値を測定し、その測定結果に応じて異常又は正常判定を行い、異常判定されたときには負荷への電源供給を停止し、正常判定されたときには負荷に駆動電源を供給し、負荷を駆動しつつ、電流測定手段により負荷に駆動電源から供給される電流値を測定し、その測定結果、駆動電源から負荷に供給される電流値が所定範囲内の値でなくなったときには、負荷への電源供給を停止することにより、負荷の状態監視を常時監視して、負荷への電源供給を停止できる。
【００１７】
請求項２は、駆動電源により駆動される複数の負荷の状態を監視する駆動出力監視回路において、
前記駆動電源と前記複数の負荷との間に接続され、前記複数の負荷に供給される電流を測定する電流測定手段と、
前記複数の負荷から所望の負荷を選択的に前記電流測定手段に接続する負荷選択手段と、前記複数の負荷に前記電流測定手段を介して測定電流を供給する測定電源と、
前記複数の負荷に前記電流測定手段を介して供給する電源を前記駆動電源と前記測定電源とのいずれか一方から選択する切換手段と、
前記駆動電源を前記複数の負荷に供給する前に、前記複数の負荷に前記測定電源が供給されるように前記切換手段を切り換え、前記電流測定手段により前記測定電源から供給される電流値を測定し、その測定結果に応じて前記複数の負荷各々の異常又は正常判定を行い、前記複数の負荷のうち異常判定された負荷への前記駆動電源の供給は行なわず、正常判定された負荷に前記駆動電源が供給されるように前記切換手段を切り換え、前記駆動電源により前記負荷を駆動させ、前記電流測定手段により前記駆動電源から供給される電流値を測定し、その測定結果、前記駆動電源から供給される電流値が所定範囲内の値でなくなったときには、前記複数の負荷すべてへの電源供給を停止する制御判断手段とを有することを特徴とする。
【００１８】
請求項２によれば、駆動電源を前記複数の負荷に供給する前に、複数の負荷に測定電源を供給し、その測定結果に応じて複数の負荷各々の異常又は正常判定を行い、複数の負荷のうち異常判定された負荷への駆動電源の供給を停止し、正常判定された負荷にのみ駆動電源を供給し、駆動電源が負荷に供給された後は、駆動電源から各負荷に供給される電流値を測定し、その測定結果、駆動電源から供給される電流値が所定範囲内の値でなくなったときには、複数の負荷すべてへの電源供給を停止することにより、負荷の状態監視を常時監視して、負荷への電源供給を停止できる。
【００１９】
請求項３は、前記制御判断手段が、前記駆動電源を前記複数の負荷に供給する際に、前記駆動電源を前記負荷に供給する前の前記複数の負荷それぞれに対する検査で異常が検出された負荷に応じて前記複数の負荷への前記駆動電源の供給を制御することを特徴とする。
請求項３によれば、駆動電源を複数の負荷に供給する際に、駆動電源を負荷に供給する前の複数の負荷それぞれに対する検査で異常が検出された負荷に応じて複数の負荷への駆動電源の供給を制御することにより、正常な動作が可能な動作を停止させることなく行わせることができる。
【００２０】
【発明の実施の形態】
図１に本発明の駆動出力監視回路の一実施例のブロック構成図を示す。
本実施例の駆動出力監視回路１００は、負荷３−１〜３−ｎの接続を制御する負荷選択回路１１０、負荷３−１〜３−ｎに供給される電流を測定する電流測定装置１２０、動作開始時に負荷３−１〜３−ｎに測定電流を供給する測定用電源１３０、負荷３−１〜３−ｎの電源を駆動電源２又は測定電源１３０に切り換える切換手段１４０、後述するように動作開始時に負荷選択回路１１０及び切換手段１４０を制御し、電流測定回路１１０で検出された各負荷３−１〜３−ｎに流れる電流に応じて各負荷３−１〜３−ｎの状態を判断するとともに、動作後は負荷３−１〜３−ｎに流れる電流を電流測定回路１１０により常時検出して、負荷３−１〜３−ｎの状態を判断する制御判断部１５０、制御判断部１５０での判断結果を表示する表示部１６０、動作開始を指示する動作開始スイッチ１７０から構成される。
【００２１】
負荷選択回路１１０は、負荷３−１〜３−ｎに対応して設けられたＮＰＮトランジスタＱ１〜Ｑｎから構成される。トランジスタＱ１は、コレクタが負荷３−１の接地側端子に接続され、エミッタが接地され、ベースが制御判断部１５０に接続される。同様にトランジスタＱ２〜Ｑｎは、コレクタが負荷３−２〜３−ｎの接地側端子に接続され、エミッタが接地され、ベースが制御判断部１５０に接続される。
【００２２】
トランジスタＱ１〜Ｑｎは、制御判断部１５０によりそれぞれのベース電位が制御され、スイッチングされる。トランジスタＱ１〜Ｑｎが選択的にオンされることにより、負荷３−１〜３−ｎの接地側端子が接地され、負荷３−１〜３−ｎに選択的に測定電流が供給されることになる。
電流測定装置１２０は、一端に負荷３−１〜３−ｎの電源端子が共通に接続された共通電源ラインＬ０  に直列に接続され、共通電源ラインＬ０  に流れる電流を測定し、ディジタルデータに変換して、制御判断部１５０に供給する。
【００２３】
共通電源ラインＬ０  の他端は切換手段１４０の可動接点ａに接続される。切換手段１４０は、リレーから構成され、可動接点ａが共通電源ラインＬ０  に接続され、固定接点ｂが駆動電源２に接続され、固定接点ｃが測定電源回路１３０に接続される。
切換手段１４０は、制御判断部１５０から供給される切換信号に応じて可動接点ａが固定接点ｂ又はｃに接続され、共通電源ラインＬ０  に供給される電流の供給元を切り換える。測定電源回路１３０は、定電圧源１３０ａ及び抵抗Ｒ０  から構成され、切換手段１４０の可動接点ａが固定接点ｃに接続されたとき、共通電源ラインＬ０  に測定用電流Ｉｍ  を供給する。
【００２４】
また、駆動電源２は、正極側が切換手段１４０の固定接点ｂに接続され、負極側が接続され、切換手段１４０の可動接点ａが固定接点ｂに接続されたとき、共通電源ラインＬ０  に負荷３−１〜３−ｎを駆動するための駆動電流ＩＤ  を供給する。
制御判断部１５０は、動作開始スイッチ１７０の操作を検出することにより動作開始を検出し、切換手段１４０及び負荷選択回路１１０を制御して、各負荷３−１〜３−ｎの状態を検査し、異常の有無を検出する。
【００２５】
図２に本発明の駆動出力監視回路の一実施例の制御判断部のフローチャートを示す。
制御判断部１５０は、動作開始スイッチ１７０の操作を検出すると、まず、切換手段１４０の可動接点ａを固定接点ｃに接続し、共通電源ラインＬ０  を測定用電源回路１３０に接続する（ステップＳ１−１，Ｓ１−２）。
【００２６】
次に、制御判断部１５０は、負荷３−１〜３−ｎを選択する負荷選択番号Ｎを「１」にリセットする（ステップＳ１−３）。次に、制御判断部１５０は、負荷選択回路１１０のステップＳ１−３で選択された選択番号Ｎに対応するトランジスタＱＮ  をオンし、他のトランジスタをオフする（ステップＳ１−４）。ステップ１−４により、負荷３−Ｎに測定用電源回路１３０から測定用電流Ｉｍ  が供給される。
【００２７】
制御判断部１５０は、このとき、電流測定装置１２０で検出され、ディジタルデータに変換された測定電流値Ｉｓ  を入力し、内部に予め設定された上限値Ｌ１及び下限値Ｌ２と比較する（ステップＳ１−５，Ｓ１−６，Ｓ１−７）。
ステップＳ１−６で、測定電流値Ｉｓ  が上限値Ｌ１  より大きいと判断された場合には、負荷３−Ｎに所定値以上の電流が流れているので、負荷３−Ｎが短絡していると判断する（ステップＳ１−８）。
【００２８】
また、ステップＳ１−７で、測定電流値Ｉｓ  が下限値Ｌ２より小さいと判断された場合には、負荷３−Ｎに所定値以下の電流しか流れないので、負荷３−Ｎが切断していると判断する（ステップＳ１−９）。
さらに、ステップＳ１−６，Ｓ１−７で、測定電流値Ｉｓ  が上限値Ｌ１と下限値Ｌ２との間にあると判断された場合には、次に、測定電流値Ｉｓ  が所定の範囲（Ｌ０  −ΔＬ３  ）＜Ｉｓ  ＜（Ｌ０  ＋ΔＬ３  ）内にあるか否かが判断される（ステップＳ１−１０）。
【００２９】
ステップＳ１−１０で、測定電流値Ｉｓ  が所定の範囲（Ｌ０  −ΔＬ３  ）＜Ｉｓ  ＜（Ｌ０  ＋ΔＬ３  ）内にあれば、負荷Ｎは正常であると判断され（ステップＳ１−１１）、測定電流値Ｉｓ  が所定の範囲（Ｌ０  −ΔＬ３  ）＜Ｉｓ  ＜（Ｌ０  ＋ΔＬ３  ）内になければ、負荷Ｎは抵抗値に異常があると判断される（ステップＳ１−１２）。
【００３０】
次に、上記のステップＳ１−６〜Ｓ１−１２での判定結果を表示部１６０に表示する（ステップＳ１−１３）。このとき、表示部１６０には、負荷３−１〜３−ｎを識別するための負荷番号Ｎ及び負荷番号Ｎに対応する判定結果が表示され、どの負荷にどんな異常があるかが容易にわかるような表示が行われる。
上記ステップＳ１−４〜Ｓ１−１３が負荷の数ｎ回繰り返し行われ、負荷３−１〜３−Ｎそれぞれの状態が検出される（ステップＳ１−１４，Ｓ１−１５）。
【００３１】
以上により、動作開始時の検査処理が終了する。
次に、制御判断部１５０は、負荷選択回路１１０のトランジスタＱ１〜ＱＮのうち、上記ステップＳ１−４〜Ｓ１−１５で異常判定された負荷及びそれに関連する負荷に対応するトランジスタをオンにしない、すなわち、ディセーブルし、正常判定され、かつ、異常判定された負荷と関連して動作しない負荷に対応するトランジスタをオンにできる設定を行った後、切換手段１４０の可動接点ａを固定接点ｂに接続し、動作可能な負荷に駆動電源２を印加して、動作を行わせる（ステップＳ１−１６，Ｓ１−１７）。
【００３２】
制御判断部１５０は、動作後、動作停止操作が行われるまで、電流測定装置１２０により測定される測定電流Ｉｓ  ’を監視して常時監視処理を行う（ステップＳ１−１８，Ｓ１−１９）。
ここで、ステップＳ１−１８の動作後の監視処理について図面とともに説明する。図３に本発明の一実施例の制御判断部の監視処理のフローチャートを示す。
【００３３】
監視処理では、まず、電流測定装置１２０により測定される負荷３−１〜３−Ｎのうち動作中の負荷に供給される電流Ｉｓ  ’を入力する（ステップＳ２−１）。
制御判断部１５０は、入力された測定電流値Ｉｓ  ’を内部に予め設定された上限値ＬＳ１１  及び下限値ＬＳ１２  と比較する（ステップＳ２−２）。
【００３４】
ステップＳ２−２で、測定電流値Ｉｓ  ’が所定の範囲ＬＳ１１  ＜Ｉｓ  ’＜ＬＳ１２  内にあれば、負荷Ｎは正常であると判断され、ステップＳ２−１に戻って、動作が続行される。また、測定電流値Ｉｓ  ’が所定の範囲ＬＳ１１  ＜Ｉｓ  ’＜ＬＳ１２  内になければ、動作中の負荷のいずれかに抵抗値に異常があると判断される（ステップＳ２−３）。
【００３５】
ステップＳ２−２で動作中の負荷に異常が生じた場合には、負荷選択回路１１０のトランジスタＱ１〜Ｑｎを全てオフして、負荷３−１〜３−ｎへの電流の供給を停止して、判定結果を表示部１６０に表示させる（ステップＳ２−４，Ｓ２−５）。
以上本実施例によれば、動作開始時には負荷選択回路１１０により負荷３−１〜３−ｎを順次選択して、負荷３−１〜３−ｎに共通に接続された共通電源ラインＬ０  に直列に接続された電流測定装置１２０により各負荷に供給される電流を検出し、各負荷の短絡、切断、抵抗値異常等の状態を検出し、警告を発することができる。
【００３６】
また、駆動電源２を負荷３−１〜３−ｎに接続した後でも、電流測定装置１２０は、共通電源ラインＬ０  に直列に接続されているので、駆動電源２から動作中の負荷に供給される電流を電流測定装置１２０により測定できる。このため、動作後の負荷の異常を検出できる。
【００３７】
【発明の効果】
上述の如く、本発明の請求項１によれば、駆動電源を前記負荷に供給する前に、負荷に測定電源を供給し、負荷に測定電源から供給される電流値を測定し、その測定結果に応じて異常又は正常判定を行い、異常判定されたときには負荷への電源供給を停止し、正常判定されたときには負荷に駆動電源を供給し、負荷を駆動しつつ、電流測定手段により負荷に駆動電源から供給される電流値を測定し、その測定結果、駆動電源から負荷に供給される電流値が所定範囲内の値でなくなったときには、負荷への電源供給を停止することにより、負荷の状態監視を常時監視して、負荷への電源供給を停止できる等の特長を有する。
【００３８】
請求項２によれば、駆動電源を前記複数の負荷に供給する前に、複数の負荷に測定電源を供給し、その測定結果に応じて複数の負荷各々の異常又は正常判定を行い、複数の負荷のうち異常判定された負荷への駆動電源の供給を停止し、正常判定された負荷にのみ駆動電源を供給し、駆動電源が負荷に供給された後は、駆動電源から各負荷に供給される電流値を測定し、その測定結果、駆動電源から供給される電流値が所定範囲内の値でなくなったときには、複数の負荷すべてへの電源供給を停止することにより、負荷の状態監視を常時監視して、負荷への電源供給を停止できる等の特長を有する。
【００３９】
請求項３によれば、駆動電源を複数の負荷に供給する際に、駆動電源を負荷に供給する前の複数の負荷それぞれに対する検査で異常が検出された負荷に応じて複数の負荷への駆動電源の供給を制御することにより、正常な動作が可能な動作を停止させることなく行わせることができる等の特長を有する。
【図面の簡単な説明】
【図１】本発明の駆動出力監視回路の一実施例のブロック構成図である。
【図２】本発明の駆動出力監視回路の一実施例の制御判断部の動作フローチャートである。
【図３】本発明の駆動出力監視回路の一実施例の制御判断部の監視処理のフローチャートである。
【図４】従来の駆動出力監視回路の一例のブロック構成図である。
【図５】従来の駆動出力監視回路の一例の制御判断部の動作フローチャートである。
【符号の説明】
２  駆動電源
３−１〜３−ｎ  負荷
１００  駆動出力監視回路
１１０  負荷選択回路
１２０  スイッチ
１３０  測定用電源回路
１４０  電流測定回路
１５０  制御判断部
１６０  表示部
Ｑ１〜Ｑｎ  ＮＰＮトランジスタ
【図１】
0003627458.tif 000002
【図２】
0003627458.tif 000003
【図３】
0003627458.tif 000004
【図４】
0003627458.tif 000005
【図５】
0003627458.tif 000006